(57)【要約】【課題】更新された視聴制限テーブルを有効に活用する。【解決手段】デジタル放送受信機のＲＡＭ１２は、視聴制限テーブル情報を格納するテーブル記憶部１２１と、視聴制限を実行するか否かを示す設定条件情報を格納する設定条件記憶部１２２と、を備え、ＭＰＵ１１は、視聴制限テーブル情報を取得するテーブル取得部１１１と、取得された視聴制限テーブル情報がテーブル記憶部１２１に格納された視聴制限テーブル情報と一致するか否かを判定する第１判定部１１２と、一致しないと判定された場合に、設定条件記憶部１２２に視聴制限を実行する旨の情報が格納されているか否かを判定する第２判定部１１３と、格納されていると判定された場合に限って、ディスプレイ１８３に新たな視聴制限テーブル情報が取得された旨のガイダンス情報を表示する表示制御部１１４と、を備えている。【選択図】図３
2008141457.tif 000002
【特許請求の範囲】
【請求項１】
テレビジョン放送を受信し、外部から視認可能にモニタに出力可能に構成された放送受信装置であって、
列方向の位置及び行方向の位置に応じて予め設定された視聴制限条件が規定されると共に、各列において行方向の位置を示す行番号が大きい程、厳しい視聴制限条件が格納されたテーブルである視聴制限テーブル情報を格納するテーブル記憶手段と、
前記テーブル記憶手段に格納された視聴制限テーブルの列方向の位置及び行方向の位置に対応付けて、それぞれ、対応する視聴制限条件に基づく視聴制限を実行するか否かを示す設定条件情報を格納する設定条件記憶手段と、
テレビジョン放送を介して、前記視聴制限テーブル情報を取得するテーブル取得手段と、
前記テーブル取得手段によって取得された視聴制限テーブル情報が、前記テーブル記憶手段に格納された視聴制限テーブル情報と一致するか否かを判定する第１判定手段と、
前記第１判定手段によって一致しないと判定された場合に、前記設定条件記憶手段に、設定条件情報として、少なくとも１の視聴制限を実行する旨の情報である視聴制限実行情報が格納されているか否かを判定する第２判定手段と、
前記第２判定手段によって視聴制限実行情報が格納されていると判定された場合に限って、モニタに視認可能に、新たな視聴制限テーブル情報が取得された旨のガイダンス情報を表示する表示制御手段と、
前記第２判定手段によって視聴制限実行情報が格納されていると判定された場合に限って、外部からの操作入力を受け付けて、受け付けられた操作入力に基づいて、前記テーブル取得手段によって取得された視聴制限テーブル情報を用いた視聴制限を実行するか否かの判定を行う第３判定手段と、
前記第３判定手段によって視聴制限を実行すると判定された場合に、予め設定されたルールに則って前記テーブル取得手段によって取得された視聴制限テーブル情報に対応する設定条件情報を生成し、生成された設定条件情報を設定条件記憶手段に格納する条件生成手段と、
前記設定条件記憶手段に格納された視聴制限実行情報に対応する視聴制限テーブルにおける行番号の最大値を求める最大値算出手段と、
を備え、
前記条件生成手段は、前記テーブル取得手段によって取得された視聴制限テーブルの設定条件情報を、前記最大値算出手段によって求められた行番号の最大値以下の行番号に対応する行については、視聴制限を実行する旨の情報である視聴制限実行情報に設定することを特徴とする放送受信装置。
【請求項２】
テレビジョン放送を受信し、外部から視認可能にモニタに出力可能に構成された放送受信装置であって、
列方向の位置及び行方向の位置に応じて予め設定された視聴制限条件が規定されると共に、各列において行方向の位置を示す行番号が大きい程、厳しい視聴制限条件が格納されたテーブルである視聴制限テーブル情報を格納するテーブル記憶手段と、
前記テーブル記憶手段に格納された視聴制限テーブルの列方向の位置及び行方向の位置に対応付けて、それぞれ、対応する視聴制限条件に基づく視聴制限を実行するか否かを示す設定条件情報を格納する設定条件記憶手段と、
テレビジョン放送を介して、前記視聴制限テーブル情報を取得するテーブル取得手段と、
前記テーブル取得手段によって取得された視聴制限テーブル情報が、前記テーブル記憶手段に格納された視聴制限テーブル情報と一致するか否かを判定する第１判定手段と、
前記第１判定手段によって一致しないと判定された場合に、前記設定条件記憶手段に、設定条件情報として、少なくとも１の視聴制限を実行する旨の情報である視聴制限実行情報が格納されているか否かを判定する第２判定手段と、
前記第２判定手段によって視聴制限実行情報が格納されていると判定された場合に限って、モニタに視認可能に、新たな視聴制限テーブル情報が取得された旨のガイダンス情報を表示する表示制御手段と、
を備えることを特徴とする放送受信装置。
【請求項３】
前記第２判定手段によって視聴制限実行情報が格納されていると判定された場合に限って、外部からの操作入力を受け付けて、受け付けられた操作入力に基づいて、前記テーブル取得手段によって取得された視聴制限テーブル情報を用いた視聴制限を実行するか否かの判定を行う第３判定手段と、
前記第３判定手段によって視聴制限を実行すると判定された場合に、予め設定されたルールに則って前記テーブル取得手段によって取得された視聴制限テーブル情報に対応する設定条件情報を生成し、生成された設定条件情報を設定条件記憶手段に格納する条件生成手段と、
を備えることを特徴とする請求項２に記載の放送受信装置。
【請求項４】
前記設定条件記憶手段に格納された視聴制限実行情報に対応する視聴制限テーブルにおける行番号の最大値を求める最大値算出手段を備え、
前記条件生成手段は、前記テーブル取得手段によって取得された視聴制限テーブルの設定条件情報を、前記最大値算出手段によって求められた行番号の最大値以下の行番号に対応する行については、視聴制限を実行する旨の情報である視聴制限実行情報に設定することを特徴とする請求項３に記載の放送受信装置。
【発明の詳細な説明】
【技術分野】
【０００１】
本発明は、テレビジョン放送を受信し、外部から視認可能にモニタに出力可能に構成された放送受信装置に関する。特に、デジタル放送を受信し、列方向の位置及び行方向の位置に応じて予め設定された視聴制限条件が規定されたテーブルである視聴制限テーブルに基づいて、視聴制限を実行可能に構成されたデジタル放送受信機に関する。
【背景技術】
【０００２】
従来、テレビジョン放送を受信し、外部から視認可能にモニタに出力可能に構成された放送受信装置では、デジタル放送の普及に伴って、視聴可能なチャンネル数が飛躍的に増加し、暴力シーン、猥褻なシーン等を含む番組が増加しており、このような番組を子供等に見せないように、子供等が視聴できる番組を制限する要求が高まっている。
【０００３】
この課題を解消するために、種々の装置が提案されている。例えば、予めユーザが視聴制限をすべきレイティングレベルを登録しておき、テレビジョン信号に重畳されて伝送された視聴制限条件を示すレイティング情報（番組視聴制限情報に相当する）が抽出されて、レイティング情報に対応するレイティングレベルが判定され、受信されたレイティングレベルが登録されているレイティングレベル以上である場合に、視聴制限を実行する（＝視聴をブロックする）テレビジョン受像装置が開示されている（特許文献１参照）。
【特許文献１】特開２０００−３５４２０９号公報
【発明の開示】
【発明が解決しようとする課題】
【０００４】
一方、２００６年３月１５日に、ＦＣＣ（Ｆｅｄｅｒａｌ  Ｃｏｍｍｕｎｉｃａｔｉｏｎｓ  Ｃｏｍｍｉｓｓｉｏｎ）によって、放送受信装置に、放送中に送信されるＲＲＴ（Ｒａｔｉｎｇ  Ｒｅｇｉｏｎ  Ｔａｂｌｅ）を取得して、取得されたＲＲＴに基づいて列方向の位置及び行方向の位置に応じて予め設定された視聴制限条件が規定されたテーブルである視聴制限テーブル（＝以下、「レイティングテーブル」という）を更新する機能を搭載することが義務付けられた（Ｃｏｄｅ  ｏｆ  Ｆｅｄｅｒａｌ  Ｒｅｇｕｌａｔｉｏｎｓ、Ｔｉｔｌｅ  ４７−Ｔｅｌｅｃｏｍｍｕｎｉｃａｔｉｏｎ、ＣＨＡＰＴＥＲ  Ｉ、§１５．１２０、“Ｐｒｏｇｒａｍ  ｂｌｏｃｋｉｎｇ  ｔｅｃｈｎｏｌｏｇｙ  ｒｅｑｕｉｒｅｍｅｎｔｓ  ｆｏｒ  ｔｅｌｅｖｉｓｉｏｎ  ｒｅｃｅｉｖｅｒｓ．”参照）。
【０００５】
しかしながら、上記テレビジョン受像装置等の従来の放送受信装置では、取得されたＲＲＴに基づいて視聴制限テーブルが更新された場合に、ユーザが、視聴制限テーブルが更新されたことを認識することができないため、更新された視聴制限テーブルを有効に活用できない虞がある。また、更新された視聴制限テーブルに基づいて視聴制限を実行する場合には、ユーザが、更新された視聴制限テーブルに格納された視聴制限条件毎に、視聴制限を実行するか否か（＝視聴制限条件に対応する番組の視聴をブロックするか否か）の設定を行う必要があり、煩雑な操作が必要となる虞がある。
【０００６】
本発明は、上記課題に鑑みてなされたものであって、更新された視聴制限テーブルを有効に活用することの可能な放送受信装置を提供することを目的としている。
【課題を解決するための手段】
【０００７】
上記目的を達成するために請求項１に記載の放送受信装置は、テレビジョン放送を受信し、外部から視認可能にモニタに出力可能に構成された放送受信装置であって、列方向の位置及び行方向の位置に応じて予め設定された視聴制限条件が規定されると共に、各列において行方向の位置を示す行番号が大きい程、厳しい視聴制限条件が格納されたテーブルである視聴制限テーブル情報を格納するテーブル記憶手段と、前記テーブル記憶手段に格納された視聴制限テーブルの列方向の位置及び行方向の位置に対応付けて、それぞれ、対応する視聴制限条件に基づく視聴制限を実行するか否かを示す設定条件情報を格納する設定条件記憶手段と、テレビジョン放送を介して、前記視聴制限テーブル情報を取得するテーブル取得手段と、前記テーブル取得手段によって取得された視聴制限テーブル情報が、前記テーブル記憶手段に格納された視聴制限テーブル情報と一致するか否かを判定する第１判定手段と、前記第１判定手段によって一致しないと判定された場合に、前記設定条件記憶手段に、設定条件情報として、少なくとも１の視聴制限を実行する旨の情報である視聴制限実行情報が格納されているか否かを判定する第２判定手段と、前記第２判定手段によって視聴制限実行情報が格納されていると判定された場合に限って、モニタに視認可能に、新たな視聴制限テーブル情報が取得された旨のガイダンス情報を表示する表示制御手段と、前記第２判定手段によって視聴制限実行情報が格納されていると判定された場合に限って、外部からの操作入力を受け付けて、受け付けられた操作入力に基づいて、前記テーブル取得手段によって取得された視聴制限テーブル情報を用いた視聴制限を実行するか否かの判定を行う第３判定手段と、前記第３判定手段によって視聴制限を実行すると判定された場合に、予め設定されたルールに則って前記テーブル取得手段によって取得された視聴制限テーブル情報に対応する設定条件情報を生成し、生成された設定条件情報を設定条件記憶手段に格納する条件生成手段と、前記設定条件記憶手段に格納された視聴制限実行情報に対応する視聴制限テーブルにおける行番号の最大値を求める最大値算出手段と、を備え、前記条件生成手段が、前記テーブル取得手段によって取得された視聴制限テーブルの設定条件情報を、前記最大値算出手段によって求められた行番号の最大値以下の行番号に対応する行については、視聴制限を実行する旨の情報である視聴制限実行情報に設定することを特徴としている。
【０００８】
請求項２に記載の放送受信装置は、テレビジョン放送を受信し、外部から視認可能にモニタに出力可能に構成された放送受信装置であって、列方向の位置及び行方向の位置に応じて予め設定された視聴制限条件が規定されると共に、各列において行方向の位置を示す行番号が大きい程、厳しい視聴制限条件が格納されたテーブルである視聴制限テーブル情報を格納するテーブル記憶手段と、前記テーブル記憶手段に格納された視聴制限テーブルの列方向の位置及び行方向の位置に対応付けて、それぞれ、対応する視聴制限条件に基づく視聴制限を実行するか否かを示す設定条件情報を格納する設定条件記憶手段と、テレビジョン放送を介して、前記視聴制限テーブル情報を取得するテーブル取得手段と、前記テーブル取得手段によって取得された視聴制限テーブル情報が、前記テーブル記憶手段に格納された視聴制限テーブル情報と一致するか否かを判定する第１判定手段と、前記第１判定手段によって一致しないと判定された場合に、前記設定条件記憶手段に、設定条件情報として、少なくとも１の視聴制限を実行する旨の情報である視聴制限実行情報が格納されているか否かを判定する第２判定手段と、前記第２判定手段によって視聴制限実行情報が格納されていると判定された場合に限って、モニタに視認可能に、新たな視聴制限テーブル情報が取得された旨のガイダンス情報を表示する表示制御手段と、を備えることを特徴としている。
【０００９】
請求項３に記載の放送受信装置は、請求項２に記載の放送受信装置であって、前記第２判定手段によって視聴制限実行情報が格納されていると判定された場合に限って、外部からの操作入力を受け付けて、受け付けられた操作入力に基づいて、前記テーブル取得手段によって取得された視聴制限テーブル情報を用いた視聴制限を実行するか否かの判定を行う第３判定手段と、前記第３判定手段によって視聴制限を実行すると判定された場合に、予め設定されたルールに則って前記テーブル取得手段によって取得された視聴制限テーブル情報に対応する設定条件情報を生成し、生成された設定条件情報を設定条件記憶手段に格納する条件生成手段と、を備えることを特徴としている。
【００１０】
請求項４に記載の放送受信装置は、請求項３に記載の放送受信装置であって、前記設定条件記憶手段に格納された視聴制限実行情報に対応する視聴制限テーブルにおける行番号の最大値を求める最大値算出手段を備え、前記条件生成手段が、前記テーブル取得手段によって取得された視聴制限テーブルの設定条件情報を、前記最大値算出手段によって求められた行番号の最大値以下の行番号に対応する行については、視聴制限を実行する旨の情報である視聴制限実行情報に設定することを特徴としている。
【発明の効果】
【００１１】
請求項１に記載の放送受信装置によれば、列方向の位置及び行方向の位置に応じて予め設定された視聴制限条件が規定されると共に、各列において行方向の位置を示す行番号が大きい程、厳しい視聴制限条件が格納されたテーブルである視聴制限テーブル情報がテーブル記憶手段に格納されている。また、テーブル記憶手段に格納された視聴制限テーブルの列方向の位置及び行方向の位置に対応付けて、それぞれ、対応する視聴制限条件に基づく視聴制限を実行するか否かを示す設定条件情報が設定条件記憶手段に格納されている。そして、テレビジョン放送を介して、視聴制限テーブル情報が取得され、取得された視聴制限テーブル情報が、テーブル記憶手段に格納された視聴制限テーブル情報と一致するか否かが判定され、一致しない（＝視聴制限テーブル情報が更新された）と判定された場合に、設定条件記憶手段に、設定条件情報として、少なくとも１の視聴制限を実行する旨の情報である視聴制限実行情報が格納されているか否かが判定される。更に、視聴制限実行情報が格納されていると判定された場合に限って、モニタに視認可能に、新たな視聴制限テーブル情報が取得された旨のガイダンス情報が表示されるため、更新された視聴制限テーブルを有効に活用することができる。
【００１２】
すなわち、視聴制限テーブル情報が更新された場合に、モニタに視認可能に、新たな視聴制限テーブル情報が取得された旨のガイダンス情報が表示されるため、視聴制限テーブル情報が更新されたことを、ユーザがモニタを介して視認することができるので、更新された視聴制限テーブルを有効に活用することができるのである。
【００１３】
また、設定条件記憶手段に、視聴制限を実行する旨の情報である視聴制限実行情報が格納されている場合に限って、モニタにガイダンス情報が表示されるため、視聴制限を実行する旨の情報である視聴制限実行情報が格納されていない場合に、モニタに不要なガイダンス情報が表示されることを防止することができるので、利便性を向上することができる。
【００１４】
例えば、視聴制限に無関心なユーザ、又は、視聴制限を行う必要の無いユーザは、視聴制限を実行する旨の設定をすることがないと考えられるため、このようなユーザが使用する場合には、視聴制限実行情報が格納されていないと想定されるので、モニタにユーザに不要な（又は無関心な）ガイダンス情報が表示されることを防止することができ、利便性を向上することができるのである。
【００１５】
更に、外部からの操作入力を受け付けて、受け付けられた操作入力に基づいて、更新された視聴制限テーブル情報を用いた視聴制限を実行するか否かの判定が行われ、視聴制限を実行すると判定された場合に、予め設定されたルールに則って更新された視聴制限テーブル情報に対応する設定条件情報が生成され、生成された設定条件情報が設定条件記憶手段に格納されるため、更新された視聴制限テーブルを更に有効に活用することができる。
【００１６】
すなわち、予め設定されたルールに則って更新された視聴制限テーブル情報に対応する設定条件情報が生成され、生成された設定条件情報が設定条件記憶手段に格納されるため、ユーザが、更新された視聴制限テーブル情報に対応する設定条件情報を設定する必要がないので、更新された視聴制限テーブルを更に有効に活用することができるのである。
【００１７】
また、外部からの操作入力を受け付けて、受け付けられた操作入力に基づいて、更新された視聴制限テーブル情報を用いた視聴制限を実行するか否かの判定が行われ、視聴制限を実行すると判定された場合に、更新された視聴制限テーブル情報に対応する設定条件情報が生成されるため、更新された視聴制限テーブル情報を用いた視聴制限を実行しないと判定された場合（＝ユーザが更新された視聴制限テーブル情報を用いた視聴制限を実行しない旨の操作入力を行った場合）には、更新された視聴制限テーブル情報に対応する設定条件情報が生成されないので、過度の視聴制限が実行されることを防止することができ、利便性を向上することができる。
【００１８】
加えて、設定条件記憶手段に格納された視聴制限実行情報に対応する視聴制限テーブルにおける行番号の最大値が求められ、更新された視聴制限テーブルの設定条件情報が、求められた行番号の最大値以下の行番号に対応する行については、視聴制限を実行する旨の情報である視聴制限実行情報に設定されるため、適正な設定条件を設定することができる。
【００１９】
ここで、視聴制限テーブルは、各列において行方向の位置を示す行番号が大きい程、厳しい視聴制限条件が格納されたテーブルであるため、設定条件記憶手段に格納された視聴制限実行情報に対応する視聴制限テーブルにおける行番号の最大値は、テーブル記憶手段に格納された視聴制限テーブル（＝更新される前の視聴制限テーブル）に対応する視聴制限条件の内、最も厳しい視聴制限が設定されている行番号である。従って、更新される前の視聴制限テーブルにおいて最も厳しい視聴制限が設定されている行番号以下の行番号に対応する行については、視聴制限を実行する旨の情報である視聴制限実行情報に設定される（＝視聴制限条件に対応する番組の視聴をブロックする）ため、適正な設定条件を設定することができるのである。
【００２０】
請求項２に記載の放送受信装置によれば、列方向の位置及び行方向の位置に応じて予め設定された視聴制限条件が規定されると共に、各列において行方向の位置を示す行番号が大きい程、厳しい視聴制限条件が格納されたテーブルである視聴制限テーブル情報がテーブル記憶手段に格納されている。また、テーブル記憶手段に格納された視聴制限テーブルの列方向の位置及び行方向の位置に対応付けて、それぞれ、対応する視聴制限条件に基づく視聴制限を実行するか否かを示す設定条件情報が設定条件記憶手段に格納されている。そして、テレビジョン放送を介して、視聴制限テーブル情報が取得され、取得された視聴制限テーブル情報が、テーブル記憶手段に格納された視聴制限テーブル情報と一致するか否かが判定され、一致しない（＝視聴制限テーブル情報が更新された）と判定された場合に、設定条件記憶手段に、設定条件情報として、少なくとも１の視聴制限を実行する旨の情報である視聴制限実行情報が格納されているか否かが判定される。更に、視聴制限実行情報が格納されていると判定された場合に限って、モニタに視認可能に、新たな視聴制限テーブル情報が取得された旨のガイダンス情報が表示されるため、更新された視聴制限テーブルを有効に活用することができる。
【００２１】
すなわち、視聴制限テーブル情報が更新された場合に、モニタに視認可能に、新たな視聴制限テーブル情報が取得された旨のガイダンス情報が表示されるため、視聴制限テーブル情報が更新されたことを、ユーザがモニタを介して視認することができるので、更新された視聴制限テーブルを有効に活用することができるのである。
【００２２】
また、設定条件記憶手段に、視聴制限を実行する旨の情報である視聴制限実行情報が格納されている場合に限って、モニタにガイダンス情報が表示されるため、視聴制限を実行する旨の情報である視聴制限実行情報が格納されていない場合に、モニタに不要なガイダンス情報が表示されることを防止することができるので、利便性を向上することができる。
【００２３】
例えば、視聴制限に無関心なユーザ、又は、視聴制限を行う必要の無いユーザは、視聴制限を実行する旨の設定をすることがないと考えられるため、このようなユーザが使用する場合には、視聴制限実行情報が格納されていないと想定されるので、モニタにユーザに不要な（又は無関心な）ガイダンス情報が表示されることを防止することができ、利便性を向上することができるのである。
【００２４】
請求項３に記載の放送受信装置によれば、外部からの操作入力を受け付けて、受け付けられた操作入力に基づいて、更新された視聴制限テーブル情報を用いた視聴制限を実行するか否かの判定が行われ、視聴制限を実行すると判定された場合に、予め設定されたルールに則って更新された視聴制限テーブル情報に対応する設定条件情報が生成され、生成された設定条件情報が設定条件記憶手段に格納されるため、更新された視聴制限テーブルを更に有効に活用することができる。
【００２５】
すなわち、予め設定されたルールに則って更新された視聴制限テーブル情報に対応する設定条件情報が生成され、生成された設定条件情報が設定条件記憶手段に格納されるため、ユーザが、更新された視聴制限テーブル情報に対応する設定条件情報を設定する必要がないので、更新された視聴制限テーブルを更に有効に活用することができるのである。
【００２６】
また、外部からの操作入力を受け付けて、受け付けられた操作入力に基づいて、更新された視聴制限テーブル情報を用いた視聴制限を実行するか否かの判定が行われ、視聴制限を実行すると判定された場合に、更新された視聴制限テーブル情報に対応する設定条件情報が生成されるため、更新された視聴制限テーブル情報を用いた視聴制限を実行しないと判定された場合（＝ユーザが更新された視聴制限テーブル情報を用いた視聴制限を実行しない旨の操作入力を行った場合）には、更新された視聴制限テーブル情報に対応する設定条件情報が生成されないので、過度の視聴制限が実行されることを防止することができ、利便性を向上することができる。
【００２７】
請求項４に記載の放送受信装置によれば、設定条件記憶手段に格納された視聴制限実行情報に対応する視聴制限テーブルにおける行番号の最大値が求められ、更新された視聴制限テーブルの設定条件情報が、求められた行番号の最大値以下の行番号に対応する行については、視聴制限を実行する旨の情報である視聴制限実行情報に設定されるため、適正な設定条件を設定することができる。
【００２８】
ここで、視聴制限テーブルは、各列において行方向の位置を示す行番号が大きい程、厳しい視聴制限条件が格納されたテーブルであるため、設定条件記憶手段に格納された視聴制限実行情報に対応する視聴制限テーブルにおける行番号の最大値は、テーブル記憶手段に格納された視聴制限テーブル（＝更新される前の視聴制限テーブル）に対応する視聴制限条件の内、最も厳しい視聴制限が設定されている行番号である。従って、更新される前の視聴制限テーブルにおいて最も厳しい視聴制限が設定されている行番号以下の行番号に対応する行については、視聴制限を実行する旨の情報である視聴制限実行情報に設定される（＝視聴制限条件に対応する番組の視聴をブロックする）ため、適正な設定条件を設定することができるのである。
【発明を実施するための最良の形態】
【００２９】
以下に本発明の実施形態を、図面を参照しながら説明する。図２は、本発明に係るデジタル放送受信機１の構成の一例を示すブロック図である。デジタル放送受信機１（放送受信装置に相当する）は、図２に示すリモートコントローラ（＝Ｒｅｍｏｔｅｃｏｎｔｒｏｌｌｅｒ：以下、「リモコン」という）２と赤外線通信を介して通信可能に接続されている。
【００３０】
デジタル放送受信機１は、リモコン２を介してユーザからの操作入力を受け付けて、テレビジョン放送を受信し、後述するディスプレイ１８３に出力するものであって、ＭＰＵ１１、ＲＡＭ１２、ＲＯＭ１３、操作部１４、受信部１５、音声出力部１６、ＭＰＥＧ２デコード部１７、画像出力部１８、及び、赤外線通信部１９を備えている。
【００３１】
ＭＰＵ（Ｍｉｃｒｏ  Ｐｒｏｃｅｓｓｉｎｇ  Ｕｎｉｔ）１１は、デジタル放送受信機１全体の動作を制御するものである。ＲＡＭ（Ｒａｎｄｏｍ  Ａｃｃｅｓｓ  Ｍｅｍｏｒｙ）１２は、音声情報、動画像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００３２】
操作部１４は、電源のＯＮ、ＯＦＦ操作、選局等の各種操作を受け付けるものである。受信部１５（テーブル取得手段の一部に相当する）は、テレビジョン放送を受信して復調するものであって、アンテナ部１５１、チューナ部１５２、Ａ／Ｄ変換部１５３、復調部１５４、及び、ＴＳデマルチプレクサ１５５を備えている。
【００３３】
アンテナ部１５１は、テレビジョン放送波を受信するものである。チューナ部１５２は、アンテナ部１５１で受信されたテレビジョン放送波から、予め設定されたチャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を種別毎に分離して出力するものである。
【００３４】
音声出力部１６は、受信部１５によって受信されたテレビジョン放送に対応する音声を出力するものであって、Ｄ／Ａ変換部１６１、音声信号出力部１６２、及び、スピーカ１６３を備えている。Ｄ／Ａ変換部１６１は、ＴＳデマルチプレクサ１５５から出力された音声情報（＝デジタル情報）をアナログ信号に変換するものである。音声信号出力部１６２は、Ｄ／Ａ変換部１６１によってアナログ信号に変換された音声信号を出力するものである。スピーカ１６３は、音声信号出力部１６２から出力された音声信号に対応する音声を出力するものである。
【００３５】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５から出力された動画像情報を圧縮前の動画像情報に復号化するものである。
【００３６】
画像出力部１８は、ＭＰＥＧ２デコード部１７によって復号化された動画像情報を出力するものであって、ＮＴＳＣエンコード部１８１、映像信号出力部１８２、及び、ディスプレイ１８３を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された動画像情報をＮＴＳＣ方式のテレビジョン信号に変換するものである。映像信号出力部１８２は、ＮＴＳＣエンコード部１８１から出力されたＮＴＳＣ方式のテレビジョン信号をディスプレイ１８３に対して出力するものである。ディスプレイ１８３（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等からなり、映像信号出力部１８２から出力されたテレビジョン信号に対応する動画像を表示するものである。
【００３７】
赤外線通信部１９は、リモコン２からの電源のＯＮ、ＯＦＦ操作、選局、デジタル放送受信機１の各種設定（視聴制限設定等）等の各種操作を受け付けるものである。
【００３８】
次に、デジタル放送受信機１が放送を受信する場合の動作について説明する。まず、送信されてきたデジタル放送波がアンテナ部１５１で受信される。操作部１４を介して選局操作が受け付けられた場合には、チューナ部１５２によって受信するトランスポンダ（Ｔｒａｎｓｐｏｎｄｅｒ）の切換が行われる。受信されたデジタル放送波は、Ａ／Ｄ変換部１５３によりデジタル情報に変換され、復調部１５４によって復調される。
【００３９】
なお、デジタル放送波は、送信側（送信局）からＴＳ（Ｔｒａｎｓｐｏｒｔ  Ｓｔｒｅａｍ）パケットとして送信される。このＴＳパケットは、動画像情報、音声情報、視聴制限テーブル情報等を含む制御情報等からなり、これらの情報がＴＳデマルチプレクサ１５５によって、分離して出力され、ＲＡＭ１２に格納される。そして、ＲＡＭ１２から読み出された音声情報がＤ／Ａ変換部１６１によってアナログ信号に変換され、音声信号出力部１６２を介してスピーカ１６３から音声が出力される。
【００４０】
また、ＲＡＭ１２から読み出された動画像情報がＭＰＥＧ２デコード部１７によって圧縮前の動画像情報に復号化され、ＮＴＳＣエンコード部１８１によってＮＴＳＣ方式のテレビジョン信号に変換されて、映像信号出力部１８２を介してディスプレイ１８３に動画像が表示される。
【００４１】
図２は、リモコン２の外観の一例を示す図である。リモコン２（第３判定手段の一部に相当する）は、ユーザからの操作入力を受け付けて、操作入力に対応する赤外線信号を生成して、デジタル放送受信機１に対して出力するものであって、赤外線信号出力部２１、バックキー２２、エンターキー２３、方向キー２４、及び、メニューキー２５を備えている。赤外線信号出力部２１は、ユーザによって押下されたキーに対応する操作信号を生成し、赤外線信号に変換してデジタル放送受信機１に対して送信するものである。
【００４２】
バックキー２２は、現在表示されている画面を元の画面に戻す場合等に押下されるキーである。エンターキー２３は、デジタル放送受信機１の視聴制限条件等の各種機能を設定する場合に押下されるキーである。方向キー２４は、視聴制限条件等の各種機能を設定する際に、図１に示すディスプレイ１８３に表示された選択可能な複数の項目から１の項目を選択する場合に押下されるキーであって、上方向に選択状態を移動させる上方向キー２４１、及び、下方向に選択状態を移動させる下方向キー２４２、左方向に選択状態を移動させる左方向キー２４３、及び、右方向に選択状態を移動させる右方向キー２４４を備えている。メニューキー２５は、デジタル放送受信機１の視聴制限条件等の各種機能を設定する場合にメニュー画面を表示させるべく押下されるキーである。
【００４３】
図３は、本発明に係るデジタル放送受信機１における主要部の構成の一例を示すブロック図である。デジタル放送受信機１のＭＰＵ１１は、機能的に、テーブル取得部１１１、第１判定部１１２、第２判定部１１３、表示制御部１１４、第３判定部１１５、最大値算出部１１６、及び、条件生成部１１７を備えている。また、ＲＡＭ１２は、機能的に、テーブル記憶部１２１及び設定条件記憶部１２２を備えている。
【００４４】
ここでは、ＭＰＵ１１が、図１に示すＲＯＭ１３等に予め格納された制御プログラムを読み出して実行することにより、テーブル取得部１１１、第１判定部１１２、第２判定部１１３、表示制御部１１４、第３判定部１１５、最大値算出部１１６、条件生成部１１７等の機能部として機能すると共に、ＲＡＭ１２を、テーブル記憶部１２１、設定条件記憶部１２２等の機能部として機能させるものである。
【００４５】
また、図１に示すＲＡＭ１２、ＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、半導体メモリ等である。
【００４６】
テーブル記憶部１２１（テーブル記憶手段に相当する）は、テーブル取得部１１１によって取得された視聴制限テーブル情報を格納するものである。
【００４７】
ここで、視聴制限テーブルは、列方向の位置及び行方向の位置に応じて予め設定された視聴制限条件が規定されたテーブルであって、列毎に、行番号が大きい程、厳しい視聴制限条件が格納されたテーブルである。すなわち、視聴制限テーブルは、行番号が大きい程、低年齢向けの番組であることを示す視聴制限条件が格納されたテーブルである。つまり、行番号が大きい低年齢向けの番組に対して視聴制限を実行する場合には、厳しい視聴制限を実行することになるのである。
【００４８】
図４は、視聴制限テーブルの一例を示す図表である。（ａ）は、更新前の視聴制限テーブルの一例を示す図表であり、（ｂ）は、後述する更新後の視聴制限テーブルの一例を示す図表である。（ａ）に示すように、視聴制限テーブルは、例えば、第１列は、レイティング項目名称が「ＴＶ−ＡＡ」に設定された視聴制限条件であって、ここでは、ＭＰＡＡ（Ｍｏｔｉｏｎ  Ｐｉｃｔｕｒｅ  Ａｓｓｏｃｉａｔｉｏｎ  ｏｆ  Ａｍｅｒｉｃａ）規格のレイティングである。第１列の第１行から順に、Ｘ、ＮＣ−１７、Ｒ、ＰＧ−１３、ＰＧ、Ｇ、ＮＲの各文字列で規定された視聴制限条件を示している。
【００４９】
第１行のＸは、ＮＣ−１７の古い規格であることを示している。第２行のＮＣ−１７（Ｎｏ  ｃｈｉｌｄｒｅｎ  ｕｎｄｅｒ  １７）は、１８歳未満（１７歳以下）の視聴を禁止したものであることを示している。第３行のＲ（Ｒｅｓｔｒｉｃｔｅｄ）は、１７歳未満（１６歳以下）の鑑賞は保護者同伴が要求されることを示している。
【００５０】
第４行のＰＧ−１３（Ｐａｒｅｎｔｓ  ｓｔｒｏｎｇｌｙ  ｃａｕｔｉｏｎｅｄ）は、１３歳未満（１２歳以下）の子供の観賞については、保護者の厳重な注意が必要であることを示している。第５行のＰＧ（Ｐａｒｅｎｔａｌ  Ｇｕｉｄａｎｃｅ  ｓｕｇｇｅｓｔｅｄ）は、子供に見せる前に保護者が内容を検討することを提案したものであることを示している。第６行のＧ（Ｇｅｎｅｒａｌ  ａｕｄｉｅｎｃｅｓ）は、全年齢に適していることを示している。第７行のＮＲ（Ｎｏｔ  Ｒａｔｅｄ）は、視聴制限がないことを示している。
【００５１】
再び、図３に戻って、デジタル放送受信機１の主要部の構成について説明する。設定条件記憶部１２２は、テーブル記憶部１２１に格納された視聴制限テーブルを構成する各行、各列に格納された文字列で表される視聴制限を実行するか否かを設定する設定条件を格納するものである。また、設定条件記憶部１２２に格納された設定条件は、条件生成部１１７によって生成されるものである。例えば、図４（ａ）に示す視聴制限テーブルに対しては、設定条件記憶部１２２には、視聴制限テーブルを構成する７行３列の計２１個の視聴制限条件毎に、各行、各列に格納された文字列で表される視聴制限を実行するか否か（＝対応する番組の視聴をブロックするか否か）を設定する設定条件が格納されている。視聴制限を実行する（＝対応する番組の視聴をブロックする）場合には、設定条件記憶部１２２に、設定条件情報として、視聴制限を実行する旨の情報である視聴制限実行情報が格納されている。
【００５２】
テーブル取得部１１１（テーブル取得手段の一部に相当する）は、受信部１５を介して受信されるＲＲＴ（Ｒａｔｉｎｇ  Ｒｅｇｉｏｎ  Ｔａｂｌｅ：視聴制限テーブル情報に相当する）を取得して、取得されたＲＲＴに基づいて列方向の位置及び行方向の位置に応じて予め設定された視聴制限条件が規定されたテーブルである視聴制限テーブルを生成すると共に、生成された視聴制限テーブルをテーブル記憶部１２１に格納するものである（図４（ａ）参照）。
【００５３】
第１判定部１１２（第１判定手段に相当する）は、テーブル取得部１１１によって取得された視聴制限テーブル情報が、テーブル記憶部１２１に格納された視聴制限テーブル情報と一致するか否かを判定するものである。具体的には、第１判定部１１２は、ＲＲＴに含まれる「ｄｉｍｅｎｓｉｏｎ＿ｎａｍｅ＿ｔｅｘｔ」（以下、「レイティング項目名称情報という」に基づいて一致するか否かを判定する。
【００５４】
すなわち、第１判定部１１２は、テーブル取得部１１１によって取得された視聴制限テーブル情報のレイティング項目名称情報が、テーブル記憶部１２１に格納された視聴制限テーブル情報のレイティング項目名称情報と一致するか否かに基づいて、テーブル取得部１１１によって取得された視聴制限テーブル情報が、テーブル記憶部１２１に格納された視聴制限テーブル情報と一致するか否かを判定するものである。なお、レイティング項目名称情報は、図４に示すレイティング項目名称（「ＴＶ−ＡＡ」等）に対応している。
【００５５】
第２判定部１１３（第２判定手段に相当する）は、第１判定部１１２によって一致しないと判定された場合（＝テーブル取得部１１１によって取得された視聴制限テーブル情報が更新された視聴制限テーブル情報であると判定された場合）に、設定条件記憶部１２２に、設定条件情報として、少なくとも１の視聴制限を実行する旨の情報である視聴制限実行情報が格納されているか否かを判定するものである。
【００５６】
表示制御部１１４（表示制御手段に相当する）は、第２判定部１１３によって視聴制限実行情報が格納されていると判定された場合に限って、ディスプレイ１８３に視認可能に、新たな視聴制限テーブル情報が取得された旨のガイダンス情報を、例えば、ＯＳＤ（Ｏｎ  Ｓｃｒｅｅｎ  Ｄｉｓｐｌａｙ）等を介して、表示するものである。また、表示制御部１１４は、ここでは、前記ガイダンス情報と、第３判定部１１５によって更新された視聴制限テーブル情報を用いた視聴制限を実行する場合に選択されるＹＥＳボタンと、第３判定部１１５によって更新された視聴制限テーブル情報を用いた視聴制限を実行しない場合に選択されるＮＯボタンと、を１の画面（図５に示す設定要否判定画面３００）としてディスプレイ１８３に表示するものである。
【００５７】
第３判定部１１５（第３判定手段の一部に相当する）は、第２判定部１１３によって視聴制限実行情報が格納されていると判定された場合に限って、リモコン２を介してユーザからの操作入力を受け付けて、受け付けられた操作入力に基づいて、テーブル取得部１１１によって取得された視聴制限テーブル情報を用いた視聴制限を実行するか否かの判定を行うものである。また、第３判定部１１５は、表示制御部１１４によって表示された設定要否判定画面３００（図５参照）を介して、視聴制限を実行するか否かの判定を行うものである。
【００５８】
図５は、表示制御部１１４によって表示される設定要否判定画面３００の一例を示す画面図である。設定要否判定画面３００には、画面略中央部に、ガイダンス表示部３０１が表示され、ガイダンス表示部３０１の下側に、ＹＥＳボタン３０２及びＮＯボタン３０３が表示され、ＹＥＳボタン３０２には、選択マーク３０４が表示されている。ガイダンス表示部３０１は、新たな視聴制限テーブル情報が取得された旨のガイダンス情報を表示するものであって、ここでは、「新しい視聴制限情報を取得しました」と表示されている。また、ガイダンス表示部３０１は、設定要否判定画面３００の操作方法に関するガイダンス情報を表示するものであって、ここでは、「現在の視聴制限設定を新しい視聴制限でも設定しますか？」と表示されている。
【００５９】
ＹＥＳボタン３０２は、更新された視聴制限テーブル情報を用いた視聴制限を実行する場合に選択されるボタンであって、ＮＯボタン３０３は、更新された視聴制限テーブル情報を用いた視聴制限を実行しない場合に選択されるボタンである。選択マーク３０４は、選択状態にあることを示すものである。
【００６０】
ＹＥＳボタン３０２が選択された状態（＝初期状態）において、第３判定部１１５によって、リモコン２に配設された右方向キー２４４（図２参照）に対応する操作信号が受け付けられた場合に、ＮＯボタン３０３が選択された状態とされ、表示制御部１１４によって選択マーク３０４がＮＯボタン３０３上に移動される。また、ＮＯボタン３０３が選択された状態において、第３判定部１１５によって、リモコン２に配設された左方向キー２４３（図２参照）に対応する操作信号が受け付けられた場合に、ＹＥＳボタン３０２が選択された状態とされ、表示制御部１１４によって選択マーク３０４がＹＥＳボタン３０２上に移動される。
【００６１】
そして、選択マーク３０４によってＹＥＳボタン３０２が選択状態とされている場合に、第３判定部１１５によって、リモコン２に配設されたエンターキー２３（図２参照）に対応する操作信号が受け付けられた場合には、視聴制限を実行すると設定される。また、選択マーク３０４によってＮＯボタン３０３が選択状態とされている場合に、第３判定部１１５によって、リモコン２に配設されたエンターキー２３（図２参照）に対応する操作信号が受け付けられた場合には、視聴制限を実行しないと設定される。
【００６２】
再び、図３に戻って、デジタル放送受信機１の主要部の構成について説明する。最大値算出部１１６（最大値算出手段に相当する）は、設定条件記憶部１２２に格納された視聴制限実行情報に対応する視聴制限テーブルにおける行番号の最大値を求めるものである。
【００６３】
例えば、図４（ａ）に網掛けをして示すように、設定条件記憶部１２２に格納された視聴制限テーブルにおいて、レイティング項目名称が「ＴＶ−ＡＡ」である第１列では、第１行目〜第４行目が視聴制限を実行するべく設定され（＝設定条件記憶部１２２に設定条件情報として視聴制限実行情報が格納され）、レイティング項目名称が「ＴＶ−ＢＢ」である第２列では、第１行目〜第３行目が視聴制限を実行するべく設定され、レイティング項目名称が「ＴＶ−ＣＣ」である第３列では、第１行目〜第２行目が視聴制限を実行するべく設定されている。この場合には、最大値算出部１１６によって、行番号の最大値が「４」であると求められる。
【００６４】
条件生成部１１７（条件生成手段に相当する）は、第３判定部１１５によって視聴制限を実行すると判定された場合に、予め設定されたルールに則ってテーブル取得部１１１によって取得された視聴制限テーブル情報に対応する設定条件情報を生成し、生成された設定条件情報を設定条件記憶部１２２に格納するものである。
【００６５】
具体的には、条件生成部１１７は、テーブル取得部１１１によって取得された視聴制限テーブルの設定条件情報を、最大値算出部１１６によって求められた行番号の最大値以下の行番号に対応する行については、視聴制限を実行する旨の情報である視聴制限実行情報に設定するものである。
【００６６】
例えば、図４（ｂ）に示すように、テーブル取得部１１１によってレイティング項目名称が「ＴＶ−ＰＰ」である第４列を含む視聴制限テーブルが取得された場合には、上述のように最大値算出部１１６によって、行番号の最大値が「４」であると求められるため、条件生成部１１７によって、図４（ｂ）に網掛けをして示すように、レイティング項目名称が「ＴＶ−ＰＰ」である第４列では、第１行目〜第４行目が視聴制限を実行するべく設定される（＝設定条件記憶部１２２に、視聴制限テーブルの第４列の第１行目〜第４行目に対応する設定条件情報として視聴制限実行情報が格納される）。
【００６７】
図６は、デジタル放送受信機１（主にＭＰＵ１１）の動作の一例を示すフローチャートである。なお、ここでは、便宜上、テーブル取得部１１１によって予め受信部１５を介して受信されるＲＲＴが受信され、取得されたＲＲＴに基づいて列方向の位置及び行方向の位置に応じて予め設定された視聴制限条件が規定されたテーブルである視聴制限テーブルを生成されてテーブル記憶部１２１に格納されている場合について説明する。
【００６８】
まず、テーブル取得部１１１によって、視聴制限テーブル情報が取得されたか否かの判定が行われる（Ｓ１０１）。視聴制限テーブル情報が取得されていないと判定された場合（Ｓ１０１でＮＯ）には、処理が待機状態とされる。視聴制限テーブル情報が取得されたと判定された場合（Ｓ１０１でＹＥＳ）には、第１判定部１１２によって、ステップＳ１０１において取得された視聴制限テーブル情報が、テーブル記憶部１２１に格納された視聴制限テーブル情報と一致するか否かが判定される（Ｓ１０３）。
【００６９】
一致すると判定された場合（Ｓ１０３でＹＥＳ）には、処理がステップＳ１０１に戻され、ステップＳ１０１以降の処理が繰り返し実行される。一致しないと判定された場合（Ｓ１０３でＮＯ）には、テーブル取得部１１１によって、ステップＳ１０１において取得された視聴制限テーブル情報が、テーブル記憶部１２１に格納される（Ｓ１０５）。そして、第２判定部１１３によって、設定条件記憶部１２２に、設定条件情報として、少なくとも１の視聴制限を実行する旨の情報である視聴制限実行情報が格納されているか否かの判定が行われる（Ｓ１０７）。
【００７０】
視聴制限実行情報が格納されていないと判定された場合（Ｓ１０７でＮＯ）には、処理が終了される。視聴制限実行情報が格納されていると判定された場合（Ｓ１０７でＹＥＳ）には、表示制御部１１４によって、新たな視聴制限テーブル情報が取得された旨のガイダンス情報がディスプレイ１８３に表示される（Ｓ１０９）。そして、第３判定部１１５によって、更新された視聴制限テーブル情報を用いた視聴制限を実行するか否かの判定が行われる（Ｓ１１１）。視聴制限を実行しないと判定された場合（Ｓ１１１でＮＯ）には、処理が終了される。
【００７１】
視聴制限を実行すると判定された場合（Ｓ１１１でＮＯ）には、最大値算出部１１６によって、視聴制限実行情報に対応する視聴制限テーブルにおける行番号の最大値が求められる（Ｓ１１３）。そして、条件生成部１１７によって、ステップＳ１１３で求められた行番号の最大値に基づいて、更新された視聴制限テーブル情報に対応する設定条件情報が生成される（Ｓ１１５）。次いで、条件生成部１１７によって、ステップＳ１１５で生成された設定条件情報が設定条件記憶部１２２に格納され（Ｓ１１７）、処理が終了される。
【００７２】
このようにして、列方向の位置及び行方向の位置に応じて予め設定された視聴制限条件が規定されると共に、各列において行方向の位置を示す行番号が大きい程、厳しい視聴制限条件が格納されたテーブルである視聴制限テーブル情報がテーブル記憶部１２１に格納されている。また、テーブル記憶部１２１に格納された視聴制限テーブルの列方向の位置及び行方向の位置に対応付けて、それぞれ、対応する視聴制限条件に基づく視聴制限を実行するか否かを示す設定条件情報が設定条件記憶部１２２に格納されている。そして、受信部１５を介して、視聴制限テーブル情報が取得され、取得された視聴制限テーブル情報が、テーブル記憶部１２１に格納された視聴制限テーブル情報と一致するか否かが判定され、一致しない（＝視聴制限テーブル情報が更新された）と判定された場合に、設定条件記憶部１２２に、設定条件情報として、少なくとも１の視聴制限を実行する旨の情報である視聴制限実行情報が格納されているか否かが判定される。更に、視聴制限実行情報が格納されていると判定された場合に限って、ディスプレイ１８３に視認可能に、新たな視聴制限テーブル情報が取得された旨のガイダンス情報が表示されるため、更新された視聴制限テーブルを有効に活用することができる。
【００７３】
すなわち、視聴制限テーブル情報が更新された場合に、ディスプレイ１８３に視認可能に、新たな視聴制限テーブル情報が取得された旨のガイダンス情報が図５に示す設定要否判定画面３００として表示されるため、視聴制限テーブル情報が更新されたことを、ユーザがディスプレイ１８３を介して視認することができるので、更新された視聴制限テーブルを有効に活用することができるのである。
【００７４】
また、設定条件記憶手段に、視聴制限を実行する旨の情報である視聴制限実行情報が格納されている場合に限って、ディスプレイ１８３にガイダンス情報が図５に示す設定要否判定画面３００として表示されるため、視聴制限を実行する旨の情報である視聴制限実行情報が格納されていない場合に、ディスプレイ１８３に不要なガイダンス情報が表示されることを防止することができるので、利便性を向上することができる。
【００７５】
例えば、視聴制限に無関心なユーザ、又は、視聴制限を行う必要の無いユーザは、視聴制限を実行する旨の設定をすることがないと考えられるため、このようなユーザが使用する場合には、視聴制限実行情報が格納されていないと想定されるので、ディスプレイ１８３にユーザに不要な（又は無関心な）ガイダンス情報が表示されることを防止することができ、利便性を向上することができるのである。
【００７６】
更に、リモコン２を介してユーザからの操作入力を受け付けて、受け付けられた操作入力に基づいて、更新された視聴制限テーブル情報を用いた視聴制限を実行するか否かの判定が行われ、視聴制限を実行すると判定された場合に、予め設定されたルールに則って更新された視聴制限テーブル情報に対応する設定条件情報が生成され、生成された設定条件情報が設定条件記憶部１２２に格納されるため、更新された視聴制限テーブルを更に有効に活用することができる。
【００７７】
すなわち、予め設定されたルールに則って更新された視聴制限テーブル情報に対応する設定条件情報が生成され、生成された設定条件情報が設定条件記憶部１２２に格納されるため、ユーザが、更新された視聴制限テーブル情報に対応する設定条件情報を設定する必要がないので、更新された視聴制限テーブルを更に有効に活用することができるのである。
【００７８】
また、リモコン２を介してユーザからの操作入力を受け付けて、受け付けられた操作入力に基づいて、更新された視聴制限テーブル情報を用いた視聴制限を実行するか否かの判定が行われ、視聴制限を実行すると判定された場合に、更新された視聴制限テーブル情報に対応する設定条件情報が生成されるため、更新された視聴制限テーブル情報を用いた視聴制限を実行しないと判定された場合（＝ユーザが更新された視聴制限テーブル情報を用いた視聴制限を実行しない旨の操作入力を行った場合）には、更新された視聴制限テーブル情報に対応する設定条件情報が生成されないので、過度の視聴制限が実行されることを防止することができ、利便性を向上することができる。
【００７９】
加えて、設定条件記憶部１２２に格納された視聴制限実行情報に対応する視聴制限テーブルにおける行番号の最大値が求められ、更新された視聴制限テーブルの設定条件情報が、求められた行番号の最大値以下の行番号に対応する行については、視聴制限を実行する旨の情報である視聴制限実行情報に設定されるため、適正な設定条件を設定することができる。
【００８０】
ここで、視聴制限テーブルは、各列において行方向の位置を示す行番号が大きい程、厳しい視聴制限条件が格納されたテーブルであるため、設定条件記憶部１２２に格納された視聴制限実行情報に対応する視聴制限テーブルにおける行番号の最大値は、テーブル記憶部１２１に格納された視聴制限テーブル（＝更新される前の視聴制限テーブル）に対応する視聴制限条件の内、最も厳しい視聴制限が設定されている行番号である。従って、更新される前の視聴制限テーブルにおいて最も厳しい視聴制限が設定されている行番号以下の行番号に対応する行については、視聴制限を実行する旨の情報である視聴制限実行情報に設定される（＝視聴制限条件に対応する番組の視聴をブロックする）ため、適正な設定条件を設定することができるのである。
【００８１】
なお、本発明は、以下の形態にも適用可能である。
（Ａ）本実施形態では、放送受信装置が、デジタル放送受信機１である場合について説明したが、放送受信装置が、テレビジョン放送を受信し、外部から視認可能にディスプレイ１８３に出力するであればよい。例えば、放送受信装置が、アナログ放送を受信する形態でもよいし、アナログ放送及びデジタル放送を受信する形態でもよい。ただし、ＲＲＴに相当する視聴制限テーブル情報が取得可能な形態である必要がある。
【００８２】
（Ｂ）本実施形態では、モニタが、デジタル放送受信機１に配設されたディスプレイ１８３である場合について説明したが、モニタが、デジタル放送受信機１とは別の装置として構成されている形態でもよい。例えば、モニタが、パーソナルコンピュータ等に配設されたモニタである形態でもよい。
【００８３】
（Ｃ）本実施形態では、第３判定手段が、リモコン２を介してユーザからの操作入力を受け付ける場合について説明したが、第３判定手段が、操作部１４を介してユーザからの操作入力を受け付ける形態でもよい。
【００８４】
（Ｄ）本実施形態では、条件生成部１１７が、テーブル取得部１１１によって取得された視聴制限テーブルの設定条件情報を、最大値算出部１１６によって求められた行番号の最大値以下の行番号に対応する行については、視聴制限を実行する旨の情報である視聴制限実行情報に設定する場合について説明したが、他の予め設定されたルールに則って設定条件情報を生成する形態でもよい。
【００８５】
例えば、設定条件記憶部１２２に格納された視聴制限実行情報に対応する視聴制限テーブルにおける行番号の平均値を求め、条件生成部１１７が、求められた行番号の平均値以下の行番号に対応する行については、視聴制限を実行する旨の情報である視聴制限実行情報に設定する形態でもよい。また、例えば、条件生成部１１７が、最大値算出部１１６によって求められた行番号の最大値を、ＯＳＤ等を介して、ユーザに視認可能に表示して、リモコン２を介してユーザからの操作入力を受け付けて、受け付けられた操作入力に基づいて設定条件情報を生成する形態でもよい。
【図面の簡単な説明】
【００８６】
【図１】は、本発明に係るデジタル放送受信機の一例を示すブロック図である。
【図２】は、リモコンの外観の一例を示す図である。
【図３】は、本発明に係るデジタル放送受信機における主要部の構成の一例を示すブロック図である。
【図４】は、視聴制限テーブルの一例を示す図表である。
【図５】は、表示制御部によって表示される設定要否判定画面の一例を示す画面図である。
【図６】は、デジタル放送受信機（主にＭＰＵ）の動作の一例を示すフローチャートである。
【符号の説明】
【００８７】
１    デジタル放送受信機（放送受信装置）
１１    ＭＰＵ
１１１    テーブル取得部（テーブル取得手段の一部）
１１２    第１判定部（第１判定手段）
１１３    第２判定部（第２判定手段）
１１４    表示制御部（表示制御手段）
１１５    第３判定部（第３判定手段の一部）
１１６    最大値算出部（最大値算出手段）
１１７    条件生成部（条件生成手段）
１２    ＲＡＭ
１２１    テーブル記憶部
１２２    設定条件記憶部
１４    操作部
１５    受信部（テーブル取得手段の一部）
１８    画像出力部
１８３    ディスプレイ（モニタ）
２    リモコン（第３判定手段の一部）
【図１】
2008141457.tif 000003
【図２】
2008141457.tif 000004
【図３】
2008141457.tif 000005
【図４】
2008141457.tif 000006
【図５】
2008141457.tif 000007
【図６】
2008141457.tif 000008